(57)【要約】      （修正有）【課題】容器本体の前後左右の各面側に、障害物等に接触しても容易に離脱しないように広告シートを挿着でき、商品陳列容器をネットパネルなどに掛止可能で、複数の商品陳列容器を横方向に連ねられる商品陳列容器を提供する。【解決手段】矩形状の箱体で、かつ商品１１が内部空間に収納される透明な合成樹脂製の容器本体１２には、内部空間の前側部分に配置される前面広告シート１３用の前方差し込み隙間部と、内部空間の後側部分に配置される背面広告シート１５用の後方差し込み隙間部と、内部空間の両側部分に配置される左右一対の側面広告シート１７Ａ，１７Ｂ用の側方差し込み隙間部とが配設され、背板１９には掛止フックが突設され、一方の側板２１には一対の嵌合凸部が形成され、他方の側板２３には一対の嵌合凹部２４が形成されている。【選択図】図１
0003195729.tif 000002
【実用新案登録請求の範囲】
【請求項１】
平面視して矩形状の箱体で、かつ商品が内部空間に収納される透明な合成樹脂製の容器本体を有し、
該容器本体には、前記内部空間の前側部分に配置される前面広告シート用の前方差し込み隙間部と、前記内部空間の後側部分に配置される背面広告シート用の後方差し込み隙間部と、前記内部空間の両側部分に配置される左右一対の側面広告シート用の側方差し込み隙間部とがそれぞれ形成され、
前記容器本体の背板には掛止フックが突設され、
前記容器本体の一方の側板には嵌合凸部が形成され、
前記容器本体の他方の側板には前記嵌合凸部に対応する嵌合凹部が形成されたことを特徴とする商品陳列容器。
【請求項２】
前記容器本体の一方の側板の下部の後端部分には、前記嵌合凸部が形成され、
他方の前記側板の下部の後端部分には、前記嵌合凹部が形成された請求項１に記載の商品陳列容器。
【請求項３】
前記容器本体の底板には、前記商品を多段陳列する段差が設けられた請求項１または請求項２に記載の商品陳列容器。
【請求項４】
前記容器本体には、前記内部空間を複数の商品収納空間に区画する仕切り板が設けられた請求項１〜請求項３のうち、何れか１項に記載の商品陳列容器。
【考案の詳細な説明】
【技術分野】
【０００１】
この考案は、例えば個装された商品を店舗に並べて販売するための商品陳列容器に関する。
【背景技術】
【０００２】
箱菓子などの個装された商品を店舗に並べて販売するための商品陳列容器として、例えば特許文献１の「商品陳列具」が知られている。これは、剛性を有する背板部と、背板部の表面に固定され、可撓性または柔軟性を有する表板部と、背板部の表面における表板部の固定位置よりも下側に引き起し可能に設けられ、かつ左右両側壁を有するとともに、引き起し時には商品が収納可能な引き起し箱部とを有し、表板部における引き起し箱部対応部位に、引き起した引き起し箱部によって前方に押し出されて傾斜面部（前板）が現出した訴求部を形成するとともに、引き起し箱部の上面を開口する切欠部を形成した商品陳列具である。商品の広告は、表板部、左右両側壁、傾斜面部の各表面に直接プリントされている。
【０００３】
この商品陳列具は、このように背板部と表板部と引き起し箱部とを有し、引き起し箱部を引き起した時に前方に押し出される訴求部を表板部に設けたので、背板の表面に単に箱部を設けた場合とは異なる新規な外観が得られる。このため、消費者の購買意欲に働きかけることができる。
【０００４】
しかしながら、特許文献１の「商品陳列具」にあっては、このように陳列される商品の広告が、表板部、左右両側壁、傾斜面部の各表面に、それぞれ直接印刷されている。そのため、商品の導入期、キャンペーン、シーズンなどに応じて商品の形状やデザインを変更できない。
【０００５】
そこで、これを解消する従来技術として、例えば特許文献２の「多重塔型陳列棚用棚板」が開発されている。この特許文献２には、対配置されるパネル装着部を介して、多重塔型陳列棚の左右両側板、最上段の前後板および最下段の前板に、複数の広告宣伝用のパネルを着脱自在に取り付けることが開示されている。
ところが、この方法では、各広告宣伝用のパネルが多重塔型陳列棚の構成壁板の外方に配置されているため、通行人や運搬中の荷物が広告宣伝用のパネルに衝突した際、このパネルがパネル装着部から簡単に外れてしまうおそれがある。
また、これらの特許文献１および特許文献２には、商品陳列具を横方向に連結する手段は講じられておらず、これらを横方向に連ねてより多くの商品を一体的に陳列することはできない。
【先行技術文献】
【特許文献】
【０００６】
【特許文献１】実用新案登録第３１０５７９３号公報
【特許文献２】実用新案登録第３１２９２０２号公報
【考案の概要】
【考案が解決しようとする課題】
【０００７】
そこで、これを解消するため、平面視して矩形状の透明な合成樹脂製の容器本体の内部空間のうち、前側部分と後側部分と両側部分とにそれぞれ広告シート用の差し込み隙間部を配設し、また容器本体の背板に、ネットパネルやハンガーボードなどの掛止面材に取り付けるための掛止フックを突設し、さらに容器本体の一方の側板に嵌合凸部を形成し、かつ容器本体の他方の側板に嵌合凸部に対応する嵌合凹部を形成すれば、上述した問題はすべて解消されることを知見し、この考案を完成させた。
【０００８】
すなわち、本考案は、このような従来の問題点に艦がみなされたもので、容器本体の前後左右の各面側に、障害物等に接触しても容易に離脱しないように広告シートを挿着することができ、かつ商品陳列容器を掛止面材に掛止可能であるとともに、複数の商品陳列容器を横方向に連ねてより多くの商品を一体的に陳列することができる商品陳列容器を提供することを目的としている。
【課題を解決するための手段】
【０００９】
本考案は、平面視して矩形状の箱体で、かつ商品が内部空間に収納される透明な合成樹脂製の容器本体を有し、該容器本体には、前記内部空間の前側部分に配置される前面広告シート用の前方差し込み隙間部と、前記内部空間の後側部分に配置される背面広告シート用の後方差し込み隙間部と、前記内部空間の両側部分に配置される左右一対の側面広告シート用の側方差し込み隙間部とがそれぞれ形成され、前記容器本体の背板には掛止フックが突設され、前記容器本体の一方の側板には嵌合凸部が形成され、前記容器本体の他方の側板には前記嵌合凸部に対応する嵌合凹部が形成されたことを特徴とする商品陳列容器である。
【００１０】
また、本考案の商品陳列容器は、前記容器本体の一方の側板の下部の後端部分に、前記嵌合凸部が形成され、他方の前記側板の下部の後端部分には、前記嵌合凹部が形成されたものでもある。
【００１１】
さらに、本考案の商品陳列容器は、前記容器本体の底板に、前記商品を多段陳列する段差が設けられたものでもある。
【００１２】
さらにまた、本考案の商品陳列容器は、前記容器本体には、前記内部空間を複数の商品収納空間に区画する仕切り板が設けられたものでもある。
【００１３】
商品陳列容器は、商品を店舗に陳列するための箱体である。その使用形態としては、例えば、陳列棚への載置、ネットパネルやハンガーボードなどの掛止面材を利用した吊り下げなどが挙げられる。
商品の種類は限定されない。例えば、箱菓子（箱入りの菓子）などの食品、サプリメントや薬品、化粧品などを採用することができる。個装のものでも、そうでないものでもよい。
商品のサイズ、形状、個数は任意である。例えば１個でも複数個でもよい。
【００１４】
容器本体は、平面視して矩形状でかつ上面が開口された有底の箱体で、全体が透明な合成樹脂からなる。ただし、商品広告が見え難くなるものの容器本体は半透明素材でもよい。
容器本体用の合成樹脂としては、例えば（強化）ポリスチレン、ＡＢＳ樹脂などのスチレン系樹脂のほか、ポリエチレン、ポリプロピレンなどのポリオレフィン系樹脂、ポリエチレンテレフタレート（ＰＥＴ）、ポリブチレンテレフタレート（ＰＢＴ）などのポリエステル系樹脂、ナイロン６、ナイロン６，６などのポリアミド系樹脂、ポリメチル（メタ）アクリレートなどのアクリル樹脂などを採用することができる。
【００１５】
容器本体の前板の高さは商品の高さより低く、容器本体の背板の高さは商品とほぼ同一で、容器本体の両側板は、それぞれの上部が前方へ下方傾斜したものの方が、客が商品を確認し易く、かつ商品陳列容器から商品を取り出し易くて好ましい。
容器本体の底板には段差を設けてもよい。これにより、複数の商品を階段状に並べて陳列することができる。その段差数は２段式でも、３段式以上でもよい。
【００１６】
容器本体の内部空間は、仕切られていない単一空間（商品収納空間が１つ）でも、仕切り板により複数の商品収納空間に区画されたものでもよい。仕切り板の素材は、例えば容器本体と同一の各種の合成樹脂のほか、各種金属などを採用することができる。仕切り板のサイズ、形状、使用数は任意である。
各広告シートの差し込み隙間部は、この内部空間に配置された容器本体の一部分であって、容器本体の対応する周側板（前板、背板、左右の側板）との間に、所定の広告シートの挿入溝が画成された部分である。
各差し込み隙間部のサイズ（差し込み深さ、幅など）や形状は、対応する広告シートに応じて適宜変更される。
【００１７】
掛止フックは、商品陳列容器をネットパネルやハンガーボードなどの掛止面材に引っ掛けるための部材である。
掛止フックの素材としては、例えば容器本体と同一のものを採用することができる。ただし、これに限定されない。掛止フックは、容器本体の背板と一体成形されたものでも、別体で背板に固定されたものでもよい。
掛止フックのサイズ、形状は任意である。また、掛止フックの使用個数も限定されない。
【００１８】
嵌合凸部および嵌合凹部の素材としては、例えば容器本体と同一のものでも、それとは異なるものでもよい。嵌合凸部および嵌合凹部は、容器本体の対応する側板と一体成形されても、対応する側板に別体で固定されてもよい。
嵌合凹部および嵌合凸部のサイズおよび形成個数は、何れも任意である。
嵌合凸部の形状は任意である。例えば、楔状、Ｌ字状、Ｔ字状などを採用することができる。
嵌合凹部（嵌合用の溝部）の形状は、嵌合凸部の形状に応じて任意に変更される。
【００１９】
前面広告シート、背面広告シートおよび左右一対の側面広告シートの素材としては、例えば各種の紙を採用することができる。その他、例えばスチレン系樹脂、ポリエステル系樹脂、ポリアミド系樹脂、アクリル樹脂、ポリオレフィン系樹脂などの各種の合成樹脂（軟質合成樹脂が好ましい）を採用することができる。
各広告シートのサイズおよび形状は任意である。例えばサイズは、対応する前板、背板、左右の側板と同一でも、それより大きくても、小さくてもよい。
各広告シートに表示される広告の内容は、陳列される商品に関するものが一般的であるが、そうでなくてもよい。
【考案の効果】
【００２０】
請求項１に記載の考案の商品陳列容器によれば、使用時には、容器本体の内部空間のうち、前側部分と後側部分と両側部分とに配設された合計４つの差し込み隙間部に、前面広告シート、背面広告シートおよび左右一対の側面広告シートのうち、何れか対応するものを差し込む。すなわち、各広告シートは、容器本体の対峙する透明板によって広告機能を維持しながら保護されている。これにより、例えば客や障害物等が前後左右の各方向から容器本体に衝突しても、各広告シートは容易に離脱しない。
また、容器本体の背板には掛止フックが突設されているため、例えばネットパネルやハンガーボードなどの掛止面材に、例えば複数の商品陳列容器を縦並びあるいは横並びに掛止することができる。
さらに、容器本体の一方の側板に嵌合凸部を形成し、かつ容器本体の他方の側板に嵌合凸部に対応する嵌合凹部を形成しているため、複数の商品陳列容器を横方向に連ねてより多くの商品を一体的に陳列することができる。
【００２１】
特に、請求項２に記載の考案の商品陳列容器によれば、複数の商品陳列容器を横方向に連結する場合、突き合わされる両側板の下部の後端部分に配設された嵌合凸部と嵌合凹部とを嵌合して連結する構成を採用している。そのため、突き合わされる側板をガイドにして、簡単かつ隙間なく両容器本体を連結することができる。
【００２２】
また、請求項３に記載の考案の商品陳列容器によれば、容器本体の底板に段差が設けられているため、商品陳列の立体的なデザイン性を高め、かつ商品を取り易くすることができる。
【００２３】
さらに、請求項４に記載の考案の商品陳列容器によれば、仕切り板によって容器本体の内部空間を複数の商品収納空間に区画するように構成したため、同一品種または異なる品種の多数の商品を、所望のやり方で区分して陳列することができる。
【図面の簡単な説明】
【００２４】
【図１】この考案の実施例１に係る商品陳列容器の使用状態の斜視図である。
【図２】この考案の実施例１に係る商品陳列容器の正面図である。
【図３】この考案の実施例１に係る商品陳列容器の平面図である。
【図４】この考案の実施例１に係る商品陳列容器の右側面図である。
【図５】この考案の実施例１に係る商品陳列容器の横連結状態を示す斜視図である。
【図６】この考案の実施例１に係る商品陳列容器のハンガーボードへの掛止状態を示す斜視図である。
【考案を実施するための形態】
【００２５】
以下、この考案の実施例を具体的に説明する。
【実施例】
【００２６】
図１〜図４において、１０はこの考案の実施例１に係る商品陳列容器で、この商品陳列容器１０は、平面視して矩形状の箱体で、かつ縦長な箱菓子の商品１１が６個だけ内部空間に収納される透明なスチレン系樹脂製の容器本体１２を有し、容器本体１２には、内部空間の前側部分に配置されるＪＡＮコードカードなどの表示あるいは広告に用いられる前面広告シート１３用の前方差し込み隙間部１４と、内部空間の後側部分に配置される背面広告シート１５用の後方差し込み隙間部１６と、内部空間の両側部分に配置される左右一対の側面広告シート１７Ａ，１７Ｂ用の側方差し込み隙間部１８Ａ，１８Ｂとがそれぞれ形成され、容器本体１２の背板１９には掛止フック２０が突設され、容器本体１２の左側板（一方の側板）２１には嵌合凸部２２が形成され、容器本体１２の右側板（他方の側板）２３には各嵌合凸部２２に対応する嵌合凹部２４が形成されたものである。
【００２７】
以下、これらの構成部品を具体的に説明する。
図２〜図４に示すように、容器本体１２は、後ろ半分が上段配置された平面視して横長矩形状の底板２５と、底板２５の前辺に連結された前板２６と、底板２５の後辺に連結される背板１９と、底板２５の左辺に連結され、かつ上部が前方へ略Ｓ字状に下方傾斜した左側板２１と、底板２５の右辺に連結され、かつ上部が前方へ略Ｓ字状に下方傾斜した右側板２３とを有している。前板２６の外側の上辺部は幅広に面取りされ、これらの底板２５と前板２６と背板１９と左右の側板２１，２３とは、それぞれスチレン系樹脂により一体成形されている。
【００２８】
底板２５の上面には、容器本体１２の内部空間の前半分を３つの商品収納空間ａに区画し、かつ容器本体１２の内部空間の後ろ半分を同じく３つの商品収納空間ａに区画する複数の仕切り板２７が固定されている（図３）。各仕切り板２７の端部には、商品１１の位置決め用のフランジ２７ａが一体成形されている。この仕切り板２７は、前板２６、背板１９および左右の側板２１，２３からそれぞれ１．５ｍｍだけ離間している。この平面視して矩形環状の離間部分のうち、前板２６との離間部分が前方差し込み隙間部１４を構成し（図２および図４）、背板１９との離間部分が背面広告シート１５用の後方差し込み隙間部１６を構成し、さらに左右一対の側板２１，２３との離間部分が、左右一対の側面広告シート１７Ａ，１７Ｂ用の側方差し込み隙間部１８Ａ，１８Ｂを構成する（図２および図３）。
【００２９】
背板１９の中央部の外面（表面）には、幅広な逆Ｌ字形状の掛止フック２０が、背板１９と同一素材により一体成形されている（図２〜図４）。
容器本体１２の左側板２１の下部の後端部分には、楔状の嵌合凸部２２が１つ突設されている（図２および図３）。また、右側板２３の下部の後端部分には、嵌合凸部２２に対応する嵌合凹部２４が1つ切欠されている。
【００３０】
ここでの前面広告シート１３は、陳列物の価格を含む商品情報の暗号コード（ＪＡＮコード）が印刷された横長矩形状のコードカードである。これに代えて、前板２６と略同一サイズで、かつ商品広告が表面の全域に表示された紙製のフェイスカードを採用してもよい。前面広告シート１３の高さは、前列の商品１１の取り出しの邪魔にならないように前板２６と略同一である。
背面広告シート１５は正面視してＴ字形状の紙製のもので、商品陳列容器１０と正対した客から広告領域が見え易い構造となっている。具体的には、背面広告シート１５の下部が、背板１９と略同一サイズの差し込み部分１５ａとなり、その上部が、横長矩形状の広告表示部１５ｂとなっている。広告表示部分１５ｂの表面全域には、商品名を含むイメージ画像が印刷されている。
【００３１】
左右一対の側面広告シート１７Ａ，１７Ｂは、客が商品陳列容器１０を側方から見た際に有効となる側面視して略矩形状の紙製のもので、左右一対の側方差し込み隙間部１８Ａ，１８Ｂに差し込まれる差し込み部分１７ａと、前板２６より前方に配置される前方延長部分１７ｂとを有している。この側面広告シート１７Ａ，１７Ｂに代えて、例えば前方延長部分１７ｂを有せず、かつ背面視して背板１９より上方に突出した半円状の上方延長部分１７ｃが設けられた別の側面広告シート１７Ｃや、前方延長部分１７ｂを有しない側面視して略縦長矩形状のまた別の側面広告シート１７Ｄを採用してもよい。各側面広告シート１７Ａ，１７Ｂの表面全域には、それぞれ商品広告が表示されている。
【００３２】
次に、図１〜図６を参照して、この考案の実施例１に係る商品陳列容器１０の使用方法を説明する。
図１に示すように、商品陳列容器１０を店舗に配置して商品１１を陳列する際には、まず合計６つの商品収納空間ａにそれぞれ１個ずつ商品１１を縦長に収納するとともに、容器本体１２の内部空間の前方差し込み隙間部１４に前面広告シート１３を差し込み、後方差し込み隙間部１６に背面広告シート１５を差し込み、また左側方差し込み隙間部１８Ａに左側面広告シート１７Ａを差し込み、さらには右側方差し込み隙間部１８Ｂに右側面広告シート１７Ｂをそれぞれ差し込む。
【００３３】
このように、各広告シート１３，１５，１７Ａ，１７Ｂは、その差し込み部分が、容器本体１２の内部空間に配設された対応する差し込み隙間部１４，１６，１８Ａ，１８Ｂに差し込まれることで、容器本体１２の透明な前板２６、背板１９および左右の側板２１，２３により広告機能を損なわずにガードされている。その結果、仮に客や障害物が商品陳列容器１０に衝突しても、各広告シート１３，１５，１７Ａ，１７Ｂは容器本体１２から容易に離脱しない。また、前板２６、背板１９および左右の側板２１，２３は透明素材からなるため、各広告シート１３，１５，１７Ａ，１７Ｂの差し込み部分に表示された意匠の広告機能を損なわない。
【００３４】
さらに、容器本体１２の内部空間は、仕切り板２７により６つの商品収納空間ａに区画されているため、同一品種または異なる品種の多数の商品１１を、デザイナー等のイメージにあった所望の配列で陳列することができる。
さらにまた、容器本体１２の底板２５に段差を設けたため、商品陳列の立体的なデザイン性を高め、かつ商品１１を取り易くすることができる。
【００３５】
また、商品陳列容器１０は、嵌合凸部２２と嵌合凹部２４とを利用して、複数台を横一列に連結することができる。
例えば、図５に示すように、３台の商品陳列容器１０を横方向に連結する場合には、連結される各容器本体１２の突き合わせ側の端部において、一対の嵌合凸部２２と、一対の嵌合凹部２４とをそれぞれ嵌合する。これにより、３台の商品陳列容器１０を、突き合わされる側板２１，２３をガイドにして、簡単かつ隙間なく横方向に連結することができる。その結果、多くの商品１１を一体的に陳列することができる。
なお、ここで使用される背面広告シート１５Ａは、互いに間隔をあけて櫛歯状に直列配置された３つの差し込み部分１５ａ（図示せず）と、前記広告表示部１５ｂの略３枚分の横方向の長さを有する広告表示部１５ｃとから構成されている。使用時には、各差し込み部分１５ａを、３台の商品陳列容器１０の各後方差し込み隙間部１６に、それぞれ１つずつ差し込む。
【００３６】
さらに、図６に示すように、商品１１の吊り下げ展示陳列用のハンガーボード（掛止面材）２９に、３台の商品陳列容器１０を縦方向に所定ピッチで掛止し、これを店舗の棚等に吊り下げて陳列することができる。その際には、容器本体１２の背板１９の掛止フック２０を、ハンガーボード２９の下部と、高さ方向の中間部とその上部とに配設された３つのスリット部(図示せず)にそれぞれ差し込んで掛止することにより、３台の商品陳列容器１０をハンガーボード２９にワンタッチで掛止することができる。
なお、この場合、ハンガーボードに代えて、格子状のネットパネルを用いてもよい。
【産業上の利用可能性】
【００３７】
この考案の商品陳列容器は、個装された商品を店舗に並べて販売するための陳列ケースとして有用である。
【符号の説明】
【００３８】
１０  商品陳列容器
１１  商品
１２  容器本体
１３  前面広告シート
１４  前方差し込み隙間部
１５，１５Ａ  背面広告シート
１６  後方差し込み隙間部
１７Ａ  左側面広告シート
１７Ｂ  右側面広告シート
１８Ａ  左側方差し込み隙間部
１８Ｂ  右側方差し込み隙間部
１９  背板
２０  掛止フック
２１  左側板（一方の側板）
２２  嵌合凸部
２３  右側板（他方の側板）
２４  嵌合凹部
２７  仕切り板
ａ    商品収納空間
【図１】
0003195729.tif 000003
【図２】
0003195729.tif 000004
【図３】
0003195729.tif 000005
【図４】
0003195729.tif 000006
【図５】
0003195729.tif 000007
【図６】
0003195729.tif 000008